(57)【特許請求の範囲】
【請求項１】
平面形状がほぼ半円の円弧状の乳房カップ用のカップワイヤーであって、前記カップワイヤーは、スーパーエンジニアリングプラスチックスからなり、その長さ方向に垂直な面の断面形状が、厚みをａｍｍ、上下方向の幅をｂｍｍとすると、ａ／ｂが０．３〜０．５５であり、かつ、ａが１〜１．８ｍｍで、ｂが２．６〜４．２ｍｍであって、開脚量２５ｍｍにおける応力が１４７０ｍＮ〜２９４０ｍＮであるプラスチックスカップワイヤー。
【請求項２】
カップワイヤーの端部間を結ぶ直線の長さをｃｍｍ、前記直線と垂直で前記直線の中点Ｅを通る直線がカップワイヤーを横切る点をＦとし、Ｅ−Ｆ間の長さをｄｍｍとすると、ｃ／ｄが２．１〜３．５である、請求項１に記載のプラスチックスカップワイヤー。
【請求項３】
ａが１．２〜１．６ｍｍで、ｂが３．０〜３．８ｍｍである請求項１または２のいずれかに記載のプラスチックスカップワイヤー。
【請求項４】
９．８Ｎ・２４時間開脚後の形状戻り率が９５〜１００％である請求項１〜３のいずれかに記載のプラスチックスカップワイヤー。
【請求項５】
スーパーエンジニアリングプラスチックスが、ポリフェニレンサルファイド、ポリエーテルサルホン、ポリアリレート、ポリアミドイミド、ポリエーテルエーテルケトン、液晶ポリマーから選ばれた合成樹脂である請求項１〜４のいずれかに記載のプラスチックスカップワイヤー。
【請求項６】
スーパーエンジニアリングプラスチックスが、ポリフェニレンサルファイド、ポリエーテルサルホン、ポリエーテルエーテルケトンから選ばれたスーパーエンジニアリングプラスチックスである請求項１〜４のいずれかに記載のプラスチックスカップワイヤー。
【請求項７】
乳房カップを有する衣料であって、乳房カップの下縁の湾曲縁に沿ってカップワイヤーがとりつけられており、前記カップワイヤーが請求項１〜６のいずれかに記載のプラスチックスカップワイヤーからなり、かつ、ストラップの一端が乳房カップの下縁の湾曲縁の脇側の縁の終端またはその延長部に取り付けられている乳房カップを有する衣料。
【請求項８】
カップワイヤーの長さが、乳房カップの下縁の湾曲縁の長さよりも最大でも３５％短いカップワイヤーであり、かつ、乳房カップの下縁の湾曲縁の脇側の縁の終端部近傍に、カップワイヤーが存在しない状態でカップワイヤが取り付けられている請求項７に記載の乳房カップを有する衣料。
【請求項９】
乳房カップを有する衣料が、ブラジャー、ボディスーツ、ブラスリップ、ブラキャミソール、ブラティディ、水着から選ばれた衣料である請求項７〜８のいずれかに記載の乳房カップを有する衣料。
【請求項１０】
乳房カップを有する衣料が、ブラジャーである請求項７〜８のいずれかに記載の乳房カップを有する衣料。
【発明の詳細な説明】
【０００１】
【発明の属する技術分野】
本発明は、合成樹脂製カップワイヤーならびに前記カップワイヤーを具備した乳房カップを有する衣料に関する。特に、合成樹脂製カップワイヤーの改良、ならびにその合成樹脂製カップワイヤーの性能を効率良く発揮し得る乳房カップを有する衣料に関する。
【０００２】
【従来の技術】
従来よりブラジャー、ボディスーツ、ブラスリップ、ブラキャミソール、ブラティディ、水着など乳房カップを有する衣料は、女性用の衣料として広く用いられている。そしてこれらの乳房カップを有する衣料には、乳房の形を美しく整えるために、乳房カップの下縁の湾曲縁に沿ってカップワイヤーが組み込まれているものが広く用いられている。通常、カップワイヤーは、乳房カップの下縁の湾曲縁に沿って取り付けられるバイアステープなどと称される布地で被われてバイアステープの周囲の縁が乳房カップに縫合される様な方式などで取り付けられており、更にカップワイヤーがバイアステープの長さ方向の端部から抜け出ないように、その両端を縫製して閉じている。
【０００３】
従来より最も一般的に用いられてきているカップワイヤーはスチールのカップワイヤーであり、近年は形状記憶合金なども用いられている。
【０００４】
このような金属製のワイヤーは折れたり、破損する事のない様に、剛性やバネ弾性の優れた材料が用いられている。
【０００５】
しかし、このような金属ワイヤーは乳房を人体の前中心側に寄せるなどの乳房の形をきれいに整える機能は優れているが、過剰剛性となって柔軟性に欠け、重く、したがって、かかる金属ワイヤーを組み込んだ乳房カップを有する衣料を着用した場合に、着用者の体型によっても異なるが、一般的に、ワイヤーが硬い感じがするとか、着用感が苦しいとか、前中心が食い込む、痛みを感じる、ワイヤーの跡が気になる等の点が指摘されている。
【０００６】
【発明が解決しようとする課題】
近年は、軽量化、カラー化と更にソフトな感触を求めて、合成樹脂からなるカップワイヤーが提案されている。例えば、特開昭６３−５６４３９号公報には、合成樹脂材料、特にポリエステル系樹脂、ポリアセタール樹脂、ポリカーボネート樹脂等からなる芯材が提案されている。
【０００７】
しかし、本発明者らの検討によれば、これらの合成樹脂ワイヤーは、洗濯時等において強い外力が加わった場合に破損し易く、また、歪、変形を生じた場合の形状回復性、バネ弾性も十分でなく、合成樹脂ワイヤーを挿入したブラジャーなどを着用した時に、人体脇側に開きやすく、乳房を前中心側に寄せて乳房の形を整える機能が劣るなどの問題がある。
【０００８】
そこで、これらの合成樹脂ワイヤーにおいて、厚みや幅をかなり大きく、太くして、上述のような欠点をカバーしようとすると、太さが太くなるため、ごろごろした感触を着用者に与え、着用感が大幅に低下してしまうと言う問題がある。
【０００９】
更に、太さを太くしないで、上述の物性を改善するために、炭素繊維やガラス繊維などの繊維材料を複合した繊維強化合成樹脂も提案されているが、繊維強化合成樹脂にすると、剛性が大きくなり、柔軟性に欠け、脆さが出てきてしまい、洗濯機による洗濯などでワイヤーが折れると言う致命的な問題が発生する。繊維強化合成樹脂が折れることはカップワイヤーにおいて致命的な問題となるのは、これらの繊維は極めて細く、しかも剛性があるので、ワイヤーの折れ目から突き出ている針のような繊維が、簡単に着用者の人体に突き刺さり、人体に突き刺さって折れて人体内部にとどまると言う安全面での問題が発生する。前述したようにカップワイヤーはバイアステープなどにくるまれて縫製されているので、衣料外部からは直接見えないため、洗濯などでワイヤーが折れてしまっている事に気がつかずに、うっかり着用した際にこのような問題が生じる。
【００１０】
そこで、従来の合成樹脂ワイヤーのバネ弾性、形状回復性、洗濯特性などを改良する事ができる物性の優れた樹脂として、実質上直鎖状のポリフェニレンサルファイド樹脂（ＰＰＳ樹脂）を用いたカップワイヤーが提案されている。ポリフェニレンサルファイド樹脂を用いたワイヤーは、従来の前述したようなワイヤーに比べて、上述したような物性を向上させる事が出来る。更に汎用エンジニアリングプラスチックスなどでも、延伸によってワイヤーの長さ方向に沿って分子配向させたワイヤーは、上述したような物性を向上させることができる。
【００１１】
しかし、まだ乳房を前中心に寄せる機能は必ずしも満足できるものではない。本発明者らは、ＰＰＳ樹脂も含めたスーパーエンジニアリングプラスチックス（略称：スーパーエンプラ）や、延伸により長さ方向に分子配向された汎用エンジニアリングプラスチックス（以下、単に「延伸汎用エンプラ」と略称する）について、更に、これらの優れた樹脂の特性を乳房カップ用のカップワイヤーとして、より効率的に発揮させるべく、種々検討した結果、ワイヤーの形状を金属ワイヤーなどで通常用いられている形状とは、若干異なった形状にする事により、更にその必要な機能を向上させることができる事を見出し、本発明に到達した。
【００１２】
すなわち、本発明は、従来の合成樹脂ワイヤーでは達成しにくかった、前中心側に乳房を寄せる機能（単に寄せのパワーと略称する事がある。）が更に改良され、しかも、寄せのパワーが改良されているにもかかわらず、従来の樹脂ワイヤーの如く着用感を犠牲にするほど太くする必要がなく、洗濯などで変形したり折れたりしにくく、スーパーエンプラ樹脂ワイヤーや、延伸汎用エンプラ樹脂ワイヤーの樹脂の特性をより効率良く発揮させ、金属ワイヤーに比べて、軽量で、ソフトな感触で、つけごこち（着用感）が優れ、着用による圧迫感や痛みが生じにくく、ワイヤーの跡が身体につきにくい、繊維強化樹脂ワイヤーに比べて安全な合成樹脂ワイヤーならびにその特性をより効率良く発揮できる乳房カップを有する衣料を提供する事を目的とする。
【００１３】
【課題を解決するための手段】
上記の課題を解決するために、本発明は、次の様なカップワイヤー及びそれを具備した衣料を提供するものである。
【００１４】
（１）平面形状がほぼ半円の円弧状の乳房カップ用のカップワイヤーであって、前記カップワイヤーは、スーパーエンジニアリングプラスチックスからなり、その長さ方向に垂直な面の断面形状が、厚みをａｍｍ、上下方向の幅をｂｍｍとすると、ａ／ｂが０．３〜０．５５であり、かつ、ａが１〜１．８ｍｍで、ｂが２．６〜４．２ｍｍであって、開脚量２５ｍｍにおける応力が１４７０ｍＮ〜２９４０ｍＮであるプラスチックスカップワイヤー。
【００１５】
（２）カップワイヤーの端部間を結ぶ直線の長さをｃｍｍ、前記直線と垂直で前記直線の中点Ｅを通る直線がカップワイヤーを横切る点をＦとし、Ｅ−Ｆ間の長さをｄｍｍとすると、ｃ／ｄが２．１〜３．５である、前記（１）項に記載のプラスチックスカップワイヤー。
【００１６】
（３）ａが１．２〜１．６ｍｍで、ｂが３．０〜３．８ｍｍである前記（１）項または（２）項のいずれかに記載のプラスチックスカップワイヤー。
【００１８】
（４）９．８Ｎ（１ｋｇｆ）・２４時間開脚後の形状戻り率が９５〜１００％である前記（１）〜（３）項のいずれかに記載のプラスチックスカップワイヤー。
【００１９】
（５）スーパーエンジニアリングプラスチックスが、ポリフェニレンサルファイド、ポリエーテルサルホン、ポリアリレート、ポリアミドイミド、ポリエーテルエーテルケトン、液晶ポリマーから選ばれた合成樹脂である前記（１）〜（４）項のいずれかに記載のプラスチックスカップワイヤー。
【００２０】
（６）スーパーエンジニアリングプラスチックスが、ポリフェニレンサルファイド、ポリエーテルサルホン、ポリエーテルエーテルケトンから選ばれたスーパーエンジニアリングプラスチックスである前記（１）〜（４）項のいずれかに記載のプラスチックスカップワイヤー。
【００２１】
（７）乳房カップを有する衣料であって、乳房カップの下縁の湾曲縁に沿ってカップワイヤーがとりつけられており、前記カップワイヤーが前記（１）〜（６）項のいずれかに記載のプラスチックスカップワイヤーからなり、かつ、ストラップの一端が乳房カップの下縁の湾曲縁の脇側の縁の終端またはその延長部に取り付けられている乳房カップを有する衣料。
【００２２】
（８）カップワイヤーの長さが、乳房カップの下縁の湾曲縁の長さよりも最大でも３５％短いカップワイヤーであり、かつ、乳房カップの下縁の湾曲縁の脇側の縁の終端部近傍に、カップワイヤーが存在しない状態でカップワイヤーが取り付けられている前記（７）項に記載の乳房カップを有する衣料。
【００２３】
（９）乳房カップを有する衣料が、ブラジャー、ボディスーツ、ブラスリップ、ブラキャミソール、ブラティディ、水着から選ばれた衣料である前記（７）〜（８）項のいずれかに記載の乳房カップを有する衣料。
【００２４】
（１０）乳房カップを有する衣料が、ブラジャーである前記（７）〜（８）項のいずれかに記載の乳房カップを有する衣料。
【００２５】
【発明の実施の形態】
本発明のカップワイヤーは、スーパーエンプラに分類されランクされる合成樹脂ないしは延伸により長さ方向に分子配向された汎用エンプラからなる。（スーパーエンプラ、汎用エンプラの分類については、工業用熱可塑性樹脂技術連合会発行「新・エンプラの本」１９９３年４月改訂版発行、第４頁等参照）。
【００２６】
かかる樹脂の具体例としては、スーパーエンプラとしては、ポリフェニレンサルファイド、ポリエーテルサルホン、ポリアリレート、ポリアミドイミド、ポリエーテルエーテルケトン、液晶ポリマー等が挙げられ、汎用エンプラとしては、ポリアミド、ポリエチレンテレフタレート、ポリアセタール、ポリカーボネート、エチレン−ビニルアルコール共重合体等が挙げられる。汎用エンプラの中では、ポリエチレンテレフタレートが好ましい。以上のうちでも特にポリフェニレンサルファイド、ポリエーテルサルホン、ポリエーテルエーテルケトンから選ばれたスーパーエンジニアリングプラスチックスが好ましい、ポリフェニレンサルファイド等は勿論、架橋などがされていると脆くなるので、実質上直鎖状分子構造を有するポリフェニレンサルファイドが好適である。
【００２７】
汎用エンプラを採用する場合には、最終製品であるカップワイヤーの状態で、延伸により長さ方向に分子配向されていることが必要である。延伸されていないものを用いたのでは、強度も弱く、本発明において必要とされるワイヤーとして必要とされる物性が不十分で、本発明の目的を達成できない。スーパーエンジニアリングプラスチックスを採用する場合には、必ずしも延伸されていることは必要ではなく、射出成形などによっても、必要な物性を満足するものを得ることができる。もちろん、延伸して分子配向を行うことも好ましい。
【００２８】
しかし、前述したように、本発明においても、ガラス繊維、炭素繊維などの比較的繊維長の長い繊維を用いた繊維強化樹脂を用いる事は、ソフトな感触を低下させ、しかも、フレキシビリティが低下するので、洗濯などの際に折れる危険があり、安全性の問題もあり、使用すべきではない。ただし、上記のような問題のない、充填剤などの添加剤は本発明の目的を阻害しない限り添加してよいことは勿論である。
【００２９】
本発明のスーパーエンプラないし延伸汎用エンプラからなるカップワイヤー１は、その平面図の一態様を図１に示したように、平面形状がほぼ半円の円弧状をしている。「ほぼ半円の円弧状」とは、必ずしも正確な半円である必要はなく、また、真円の円弧である必要もない。通常カップワイヤーの平面形状は、図１、図６或いは図１５等にも例示されているように、必ずしも真半円の円弧状とは限らず、例えばカップワイヤーの長さのほぼ中心より前中心側と、脇側とで湾曲率が異なる場合の方がむしろ一般的であるし、湾曲率が真円よりきつい部分や、緩やかな部分が混在するものもあり、乳房カップの最下点に相当するカップワイヤーの最下点から、前中心側の端までと、脇側の端までの長さが同じでないものも通常使用されている。本発明では、このようなものを総称して含む意味で、「ほぼ半円の円弧状」と略称している。
【００３０】
そして本発明のカップワイヤーにおいては、その長さ方向に垂直な面の断面形状が、厚みをａｍｍ、上下方向の幅をｂｍｍとすると、ａ／ｂが０．３〜０．５５であり、かつ、ａが１〜１．８ｍｍで、ｂが２．６〜４．２ｍｍであることが必要である。
【００３１】
ここで、カップワイヤーの長さ方向に垂直な面の断面形状とは、図１を用いて説明すると、Ａ−Ａ´ラインでワイヤーの長さ方向を横切るように垂直に切断したと仮定した場合、その断面の形状である。そして、厚みとは、図１の図面の用紙の表側から裏側方向のワイヤーの寸法を言う。上下方向の幅とは図面の紙面に沿ったＡ−Ａ´ライン方向のワイヤーの寸法を指している。
【００３２】
図２〜５に、図１のＡ−Ａ´ラインでワイヤーの長さ方向を横切るように垂直に切断した場合のその断面の断面形状のいくつかの実施形態を図示した。図２に示した断面形状は、縦長長方形の上下の辺が丸みを帯びている形状であり、図３に示した態様は、縦長長方形の四隅の角がとられた形状で、しいて表現すれば縦長の８角形に近い形状である。図４に示した態様は、縦長楕円形状であり、図５は縦長長方形である。着用感を少しでもよくするという観点からは、着用者肌側の角がとがっていない方が好ましく、その意味では、図２〜図４に示した態様の断面形状が好ましい。図２〜図５に示したカップワイヤーの断面形状は、これらに限られるものではなく、下記のような本発明の必須の要件を満足し、本発明の目的を阻害しない形状のものであれば他の形状であってもよいことは勿論である。そして、例えば、本発明の条件を満足する範囲においては、他の異形断面形状であってもよいし、また、厚みａと上下方向の幅ｂは、カップワイヤーの長さ方向に沿ってすべての部分で同一である必要はなく、例えばカップワイヤーの長さ方向の両端部に近い方の部分は、中央部分に比べて厚みや上下方向の幅を小さくするなど、長さ方向で、厚みａと幅ｂは、変化してもよい。
【００３３】
本発明のカップワイヤーにおいては、厚みをａｍｍ、上下方向の幅をｂｍｍとすると、ａ／ｂが０．３〜０．５５であり、かつ、ａが１〜１．８ｍｍで、ｂが２．６〜４．２ｍｍであることが必要である。
【００３４】
ここでａ／ｂが０．３よりも小さい場合には、厚みａが薄く、上下方向の幅ｂが広くなりすぎて、カップワイヤーが折れ易くなり、幅方向の両端部が鋭利になるので、肌に当たっていたくなるなど、着用感も低下する。更に、乳房の形を整える造形性が低下してしまい好ましくない。また、ａ／ｂが０．５５より大きい場合には、カップワイヤーが開きやすくなり、乳房を前中心に寄せるパワーが減少し、十分な乳房形状補整機能を発揮する事が出来ない。また、カップワイヤーは、それを組み込んだ衣料、例えばブラジャーなどを着用した場合に、脇側などは、人体の胸の脇側のカーブに沿うようにカップワイヤーが撓んで、人体にフィットする必要があるが、この人体の曲線形状に沿う撓みが低下し、人体へのフィット性が低下してしまい好ましくない。また、厚みと幅の寸法差が小さくなるので、カップワイヤーの角が肌に当たり、痛みが生じたりして着用感が低下し好ましくない。
【００３５】
更に、寸法の絶対値であるａが１ｍｍより小さい場合には、機械的強度が低下し、折れ易くなるので好ましくない。また、ａが１．８ｍｍより大きくなると、肌に当たるなどして、着用感が低下し、ゴロゴロした感じになり好ましくない。また、ｂが２．６ｍｍより小さい場合には、カップワイヤーが開きやすくなり、乳房を前中心に寄せるパワーが減少し、十分な乳房形状補整機能を発揮する事が出来ない。また、ｂが４．２ｍｍより大きい場合には、肌に当たるなどの違和感が生じ、着用感が低下するので好ましくない。本発明のカップワイヤーにおいては、更に好ましくは、ａが１．２〜１．６ｍｍで、ｂが３．０〜３．８ｍｍの範囲である。
【００３６】
更に、本発明の樹脂ワイヤーにおいては、カップワイヤーの端部間を結ぶ直線の長さをｃｍｍ、前記直線と垂直で前記直線の中点Ｅを通る直線がカップワイヤーを横切る点をＦとし、Ｅ−Ｆ間の長さをｄｍｍとすると、ｃ／ｄが２．１〜３．５であることが好ましい。
【００３７】
この点を本発明のワイヤーの一例の平面図の図６を参照して説明する。図６には、図１に示した本発明のカップワイヤーと同じワイヤーを図示した。カップワイヤーの平面図における点線２で示した中心線２を基準とし、カップワイヤーの端部とは、中心線２の端部３、３´であり、端部間３、３´を結ぶ直線４の長さをｃｍｍとする。前記直線４と垂直で前記直線４の中点Ｅを通る直線５がカップワイヤーを横切る点をＦとするが、ここで直線５がカップワイヤーを横切る点Ｆとは、直線５がカップワイヤーの中心線２を横切る点を言う。上述の如く定義されたＥ−Ｆ間の長さをｄｍｍとすると、ｃ／ｄが２．１〜３．５であることが好ましい。一般的に、標準的なスチールワイヤーのｃ／ｄの値は、やや低めの範囲になる。すなわち、ｃ／ｄの値が大きいと言うことは、ワイヤーの描く円弧（実際には図に示されたように円弧は真円の円弧ではないのが一般的であるが、）の曲率半径は、同じカップサイズ用のワイヤーであれば、スチールワイヤーでも、本発明のワイヤーでもほぼ同様の曲率半径に設計されるので、ほぼ同様の曲率半径の場合には、スチールワイヤーの方が本発明のワイヤーよりも、ｃ／ｄの値が小さいと言う事は、ｄが大きくなり、深くなるので、一般には、スチールワイヤーの方がワイヤー全体の長さが長くなることになる。つまり円弧の描く長さが、従来の一般的なスチールワイヤーでは、本発明のプラスチックワイヤに比べて、長めになっている。本発明のごときプラスチックワイヤーにおいては、スチールワイヤーほど剛性が大きくないので、ｃ／ｄの値を２．１より大きくする事により、ワイヤーにワイヤーの円弧を開こうとするような応力、すなわち、３−３´間の距離が開こうとする応力（実際には、乳房を前中心に寄せようとするとそのような応力がかる。）が作用したときに、ワイヤーが開くのを少しでも少なくするために、ｃ／ｄが２．１〜３．５の範囲としたものである。ｃ／ｄが３．５よりも大きすぎると、ほぼ同じ曲率半径を有するワイヤーで比べた場合に、ワイヤーの円弧の長さが短くなりすぎて、乳房のバージスラインの脇側を十分カバーしきれなくなり、乳房を前中心側に寄せて、乳房の形を美しく整える機能が作用しにくくなる傾向になる。したがって、本発明のスーパーエンプラ、ないし、延伸汎用エンプラを材料とする場合には、ｃ／ｄが２．１〜３．５の範囲が、乳房を前中心側に寄せて、乳房の形を美しく整える機能が一層効果的に発揮されて好ましい。
【００３８】
尚、参考のため、従来のスチールワイヤーの一例の平面図（図６に相当する図面）を図１５に示した。図１５は図６と同一縮尺比率で示してある。ちなみに図１４に示した従来のスチールワイヤー１０１のｃ／ｄの値は１．８３である。
【００３９】
更に、本発明のプラスチックワイヤーは、開脚量２５ｍｍにおける応力（これを開脚荷重と略称する。）が１４７０ｍＮ〜２９４０ｍＮ（１５０〜３００ｇｆ）であることが好ましい。
【００４０】
開脚荷重は、図７にその測定方法を説明するための略図を示したが、簡単な概念は、無荷重状態での開脚量を０ｍｍとし、荷重をかけて矢印Ｇ、Ｇ´方向にワイヤーを引っ張って開いたときに、開脚量２５ｍｍにおける応力の値である。これは、ワイヤーの開きにくさを示す一つの指標であり、この値が大きい方が乳房を前中心に寄せるパワーが大きいと言える。
【００４１】
開脚量を２５ｍｍとしたのは、一般にワイヤー入りのブラジャー等を着用した場合に、２５ｍｍ程度が脇側に引かれて広がり、変形するのが一般的だからである。
【００４２】
本発明においては、開脚量２５ｍｍにおける応力が１４７０ｍＮ〜２９４０ｍＮ（１５０〜３００ｇｆ）であることが好ましく、より好ましくは、１９２０ｍＮ〜２９４０ｍＮ（２００〜３００ｇｆ）である。前記開脚荷重が１４７０ｍＮ（１５０ｇｆ）より小さすぎると、乳房を前中心に寄せるパワーが小さくなる傾向にあり、応力が２９４０ｍＮ（３００ｇｆ）より大き過ぎると、スチールワイヤーの如く硬い感じになりソフトな着用感が得にくくなる傾向になる。
【００４３】
上記開脚荷重の測定方法は、インストロン型万能引っ張り試験機（株式会社島津製作所製“オートグラフ  ＡＧ−５００Ｄ”）を用い、図７に示すように、カップワイヤーの両端部を引っ張り試験機のチャック７、７´に固定し、この時の無荷重での状態を開脚量０ｍｍとし、その後、１０ｍｍ／分の速度でチャックを開き、カップワイヤーを１０ｍｍ、１５ｍｍ、２５ｍｍまで開く。これを３回繰り返す。１０ｍｍ、１５ｍｍ、２５ｍｍ開いた各時点での応力を測定し、３回目の２５ｍｍ時点での応力を開脚荷重とした。
【００４４】
更に本発明のカップワイヤーは、好ましくは、９．８Ｎ・２４時間開脚後の形状戻り率が９５〜１００％であることが好ましく、より好ましくは９８〜１００％である。ここで、９．８Ｎ・２４時間開脚後の形状戻り率とは、図７のＧ、Ｇ´方向にワイヤーが引っ張られるように、ワイヤー先端の一方の端（図７で言うならば図示されたワイヤーの上側の端）を固定し、他方の端（図７で言うならば図示されたワイヤーの下側の端）に、９．８Ｎ（１ｋｇｆ）の荷重を２４時間かけた後、かけた荷重を外してから２４時間経過後の形状戻り率を意味する。
【００４５】
具体的な測定装置ならびに方法としては、固定されて動かない固体装置から紐を垂らし、その紐でカップワイヤーの一方の端を縛り、固定する。カップワイヤーのもう一方の端が下に来るようにし、この端部に紐を縛り、紐の他方の端に１ｋｇの分銅を付けて、２４時間放置し、次いで分銅とそれに付いている紐を外して、２４時間放置することによりカップワイヤーの開きの戻り率を測定する。
【００４６】
形状戻り率（％）は、（１００−１００ｈ／ｃ）％で計算される。ここで、ｃとは図６で示した荷重を掛ける前の３、３´間の長さ、ｈは｛（荷重を外してから２４時間経過後の３、３´間の長さ）−（荷重を掛ける前の３、３´間の長さｃ）｝の値である。
【００４７】
形状戻り率は、長期間の使用でも、乳房を前中心に寄せるパワーが保てるかどうかの指標のひつとであり、形状戻り率が小さいと、長期間の使用により、図６の３、３´間が、開いてしまって戻らなくなり、乳房を前中心に寄せる造形性が低下してしまう。すなわちブラジャーなどの乳房カップを有する衣料は、通常数年間は着用する衣料であり、その長期にわたる着用において造形力が衰えることなく、保持されることが必要で、この可能性を判断する指標の１つとなる。また、洗濯などによって、もし変形を起こしてしまっても、元の形に戻り、造形力を保てるかどうかの指標ともなる。また、着用時に、脇に引かれて広がる変形を起こしたときに、元に戻ろうとする力が、造形力にも関連し、造形力そのものの強さを間接的に示す指標ともなる。
【００４８】
形状戻り率が小さい場合には、長期間着用しているうちに、徐々に造形力が低下していくことになる。通常の着用時にも、カップワイヤーの脇側端部は、約２５ｍｍほど、引かれて広がると言う変形を生じるが、この時に、元の形に戻ろうとする力が、造形力にも繋がる。
【００４９】
したがって、本発明においては、形状戻り率が９５〜１００％であると長期間の使用でも、乳房を前中心に寄せる造形性が発揮され好ましい。
【００５０】
本発明において、着用感の低下を無視して、ワイヤーの断面積を大きくする（つまり、着用した際にゴロゴロするほど太くする）ような場合を除いて、着用感が低下しない範囲のできるだけ小さい断面積で、前述した本発明のカップワイヤーの開脚荷重を１４７０ｍＮ〜２９４０ｍＮ（１５０〜３００ｇｆ）の範囲に保ち、形状戻り率を９５〜１００％にするには、前述したように、その長さ方向に垂直な面の断面形状が、厚みをａｍｍ、上下方向の幅をｂｍｍとすると、ａ／ｂが０．３〜０．５５であり、かつ、ａが１〜１．８ｍｍで、ｂが２．６〜４．２ｍｍの形状にする必要があり、更に好ましくは、カップワイヤーの端部間を結ぶ直線の長さをｃｍｍ、前記直線と垂直で前記直線の中点Ｅを通る直線がカップワイヤーを横切る点をＦとし、Ｅ−Ｆ間の長さをｄｍｍとすると、ｃ／ｄを２．１〜３．５とする事によって、より容易に前述したようなワイヤーの物性を好適に達成する事が出来る。従って上記本発明の要件を達成する事により、同じ原料樹脂を用いた場合でも、そのカップワイヤーとしての性能をより効率的に発揮できるのである。
【００５１】
前述したスーパーエンプラや汎用エンプラを用いて、本発明のカップワイヤーを製造するには、その原料樹脂を溶融押し出しなどにより、成形し、必要な場合には、原料樹脂のガラス転移温度より高く融点より低い範囲の温度の適当な温度範囲で延伸や圧延などの処理により、ポリマー分子を配向させることが好ましい。汎用エンプラの場合には、延伸によってその長さ方向にポリマー分子を配向させることが必要である。
【００５２】
例えば溶融押し出し成形の場合には、原料樹脂をその融点以上の温度、例えば２００〜４００℃で溶融押出しして、所定の太さの紐状の線材を成形し、且つこの線材を冷却水や室温雰囲気下に放置するなどして、常温に冷却し、続いて該線材を温水等でガラス転移温度以上で原料樹脂の融点より低い温度、例えば８０〜１５０℃で加熱した後、５〜１０倍の長さに延伸して構成分子の配列を一定にした線材を形成した後で、アニーリング処理を施し、更に延伸された線材をプレス加工によって所定の形状に折り曲げて合成樹脂ワイヤーとする方法によって製造する事も出来る。スーパーエンプラの場合には、延伸・配向処理は必ずしも必要ではなく、例えば特開平４−３３７３３７号に示されるポリフェニレンサルファイド樹脂のような物性のスーパーエンプラ等を、本発明の前述した所定の形状になるような金型を用いて、射出成形によって成形してもよい。
【００５３】
かくして得られる本発明のカップワイヤーは、従来の合成樹脂ワイヤーでは達成しにくかった、前中心側に乳房を寄せる機能が更に改良され、しかも、寄せのパワーが改良されているにもかかわらず、従来の汎用樹脂ワイヤーの如く着用感を犠牲にするほど太くする必要がなく、洗濯などで変形したり折れたりしにくく、スーパーエンプラ樹脂ワイヤーや延伸汎用エンプラ樹脂ワイヤーの樹脂の特性をより効率良く発揮させ、金属ワイヤーに比べて、軽量で、ソフトな感触で、つけごこち（着用感）が優れ、着用による圧迫感や痛みが生じにくく、ワイヤーの跡が身体につきにくい、繊維強化樹脂ワイヤーに比べて安全な合成樹脂ワイヤーが提供できる。
【００５４】
次に、本発明のカップワイヤーを具備し、その特性をより効率良く発揮できる本発明の乳房カップを有する衣料について説明する。
【００５５】
本発明の乳房カップを有する衣料は、乳房カップの下縁の湾曲縁に沿ってカップワイヤーがとりつけられており、前記カップワイヤーが前述した本発明のプラスチックスカップワイヤーからなり、かつ、ストラップの一端が乳房カップの下縁の湾曲縁の脇側の縁の終端またはその延長部に取り付けられている乳房カップを有する衣料である。
【００５６】
従来の典型的なタイプのブラジャーの一例の斜視図を図１６に、また、従来の典型的なタイプのボディスーツの一例の斜視図を図１７に示した。
【００５７】
ストラップのとり付け位置が、従来より、最もよく用いられている代表的なとり付け位置であるブラジャーとボディスーツの一例の代表例の図面である。
【００５８】
図１６の従来例のブラジャーならびに図１７の従来例のボディスーツにおいて、１１０が乳房カップ部であり、１１１が乳房カップの下縁の湾曲縁であり、この部分にカップワイヤーが組み込まれている。１１２は乳房カップの下縁の湾曲縁の脇側の縁の終端を示しており１１３がストラップ、１１４が乳房カップ部の上縁と脇縁の終端部を示している。
【００５９】
このように、従来の乳房カップを有する衣料のストラップの取り付け位置は、最も典型的な通常のものは、図示したように乳房カップの下縁の湾曲縁の脇側の縁の終端１１２の部分ではなく、それとは別の位置の乳房カップ部の上縁と脇縁の終端部１１４の位置のものが大部分である。このストラップの取り付け位置では、例えばブラジャーなどを着用する場合に、カップの脇に付いているバック布を左右に引っ張る状態で着用するが、この引っ張り力による脇方向へのカップワイヤーの開きや、乳房の重みや脇への流れをカップワイヤーで押さえて、カップワイヤーの脇側で乳房を前中心方向へ寄せる場合、矢印１１５方向へワイヤーが開くのを阻止する補助的な阻止応力作用をストラップ１１３が担うには、極めて間接的であり、不充分である。
【００６０】
これに対し、本発明の乳房カップを有する衣料は、例えば本発明のブラジャーの一例の正面図である図８あるいは更に別の一例の正面図である図９からも明らかなように、ストラップ２３の一端２４が乳房カップ２０の下縁の湾曲縁２１の脇側の縁の終端２２またはその延長部２７に取り付けられている。よって、ストラップ２３がカップワイヤーの脇への開きを阻止する補助的な阻止応力作用を担い補っている。すなわち、バック布などにより、脇方向に引っ張られる力が、カップ脇部及びカップワイヤーの脇部に掛かるのをストラップ２３で支えることにより、緩和するようにしている。カップ脇部及びカップワイヤーの脇部にストラップ２３で上方に引っ張る力を掛けることにより、カップワイヤーが脇に開くのを阻止、緩和し、造形性の低下を減少させる構造となっている。これにより、スチールワイヤーなどに比べて、若干劣っている本発明のワイヤーの乳房を前中心に寄せる造形性を補助し、より効率的に造形性を発揮することができる。
【００６１】
なお、本発明のカップワイヤーは、乳房カップ２０の下縁の湾曲縁２１に沿って肌側面及びカップの外側面に、カップワイヤーの上下方向の幅ｂより少し広幅のバイアステープなどと称される布地で前後から挟まれるように覆い被されて取り付けられている。
【００６２】
この状態を図１４に断面略図で示した。図１４は、乳房カップの下縁の湾曲縁２１に沿ってカップワイヤーが取り付けられている一態様を示す断面略図であるる。１がカップワイヤー、２０が乳房カップ（一部分のみ図示した。）、３１が乳房カップ２０の表側に配置されるバイアステープ、３２が乳房カップ２０の裏側に配置されるバイアステープであり、これらを縫製ライン３３と３４でで縫製して、カップワイヤーが取り付けられている。カップワイヤーが取り付け態様は、上記で記載した態様に何ら限定されるものではなく、本発明の目的を阻害しない限り、公知のカップワイヤーの各種の取付態様が適用できることは当然である。
【００６３】
カップワイヤーを乳房カップに取り付ける場合、乳房カップの形や大きさにもよるが、本発明のカップワイヤーは乳房カップの下縁の湾曲縁２１の前中心側の縁の終端２９から脇側の縁の終端２２まですべての範囲にわたって存在している事は必ずしも必要ではない。前述したように、本発明のカップワイヤーは、これに対応するスチールワイヤーよりも、同じカップの大きさ用のもので比べると、若干短くなっている場合があるので、乳房カップの下縁の湾曲縁２１の前中心側の縁の終端２９から脇側の縁の終端２２まですべての範囲にわたって存在していない場合がある。その場合でも、前中心側は前中心側の縁の終端２９のところまで、ワイヤーが存在している事が必要であり、したがって、脇側については、例えば図示したようにワイヤーの先端がワイヤーの封じ込め用の縫製ライン２６までの位置で終わっているような場合であってもよい。ワイヤーの前中心側の端部は、ワイヤーの固定支点としての役目を担っており、この部分が固定されていて、ワイヤーの脇側が矢印２５の方向に開かないようにワイヤーを作用させる中心点としての役割があるので、前中心側は前中心側の縁の終端２９のところまで、ワイヤーが存在している事が必要である。前中心側の縁の終端２９の近傍の形が簡単に崩れて引き伸ばされてしまうようでは、ワイヤーの脇側で乳房を前中心側に寄せることができにくくなるからである。乳房カップの下縁の湾曲縁のうちの脇側の部分には、特定された少々の範囲でワイヤーが存在しない部分があっても、前述のようにストラップ２３が乳房カップ２０の下縁の湾曲縁２１の脇側の縁の終端２２またはその延長部に取り付けられているので、脇への開きを阻止する補助的な阻止応力作用をストラップ２３が担い補っているのである。
【００６４】
ただ、あまりに広い範囲にわたって乳房カップの下縁の湾曲縁の脇側に、カップワイヤー不存在部分があることは好ましくなく、カップワイヤーの長さが、乳房カップの下縁の湾曲縁の長さ（この場合、乳房カップの下縁の湾曲縁に、例えば、下記で説明するような延長部が存在する場合には、湾曲縁の長さとは、延長部を含まない長さである。）よりも最大でも３５％短いカップワイヤーを用いる事が必要で、別の言い方をすれば、カップワイヤーの存在しない部分は、乳房カップの下縁の湾曲縁の脇側の端から、最大でも湾曲縁の長さの３５％までの部分である。これより多くカップワイヤーの存在しない部分があると、乳房カップを通常よりも、脇側を特に長くした特殊なデザインの乳房カップを有する場合を除いて、通常の乳房カップの場合には、乳房を前中心側に寄せて乳房の形を整える作用が十分発揮できなくなる。
【００６５】
また、前記ブラジャーも含めて、本発明の乳房カップを有する衣料においては、ストラップの一端が乳房カップの下縁の湾曲縁の脇側の縁の終端に通常取り付けられているが、前述したように、デザイン上の観点から、乳房カップの下縁の湾曲縁の脇側を長く上に伸ばすようなカップ形状の場合、ストラップの一端は乳房カップの下縁の湾曲縁の脇側の縁の延長部に取り付けられる。前記延長部とは、より具体的には、湾曲縁２１を構成しているバイアステープなどの部分が、乳房カップの上辺部脇３０を超えて延長されて上に伸びているような場合、例えば、図９に示すブラジャーの如く、符号２７で示した部分がストラップではなく、デザイン上、湾曲縁２１を構成しているバイアステープが、カップの上辺部湾脇３０を超えて延長された部分であり、この部分２７が、乳房カップの下縁の湾曲縁の脇側の縁の延長部と言う事になる。なお、延長部２７中には、カップワイヤーは存在していない。
【００６６】
本発明の乳房カップを有する衣類においては、ストラップの一端２４が乳房カップの下縁の湾曲縁の脇側の縁の終端に取り付けられていてもよいし（例えば図８に示したブラジャーなど）、もし、上述のような延長部がある場合には、湾曲縁の脇側の縁の延長部２７の端に、ストラップの一端２４が取り付けられていてもよい。
【００６７】
尚、本発明の乳房カップを有する衣料において、ストラップの一端が乳房カップの下縁の湾曲縁の脇側の縁の終端またはその延長部に取り付けられていさえすれば、図９に示したブラジャーの如く、補助的な枝分かれしたストラップ２８や装飾用のストラップなどが存在する事、或いは２７と２８で囲まれる三角形状の空間部分が装飾用の布などで構成されていることは何ら差し支えない。
【００６８】
次に図１０〜図１３に、ブラジャー以外の、本発明の乳房カップを有する衣料の別の例の正面図を示した。図１０がボディスーツ、図１１がブラスリップ、図１２がブラキャミソール、図１３がブラティディであり、図８や図９のブラジャーと同じ部分には、同一の符号を付して、詳細説明を省略した。これらの衣料においても、図８や図９のブラジャーと同様に、乳房カップの下縁の湾曲縁２１に沿って本発明の前述したようなプラスチックスカップワイヤーがとりつけられており、かつ、ストラップ２３の一端２４が乳房カップ２０の下縁の湾曲縁の脇側の縁の終端２２またはその延長部に取り付けられている。そして、これらの衣料においても、前述した様に、カップワイヤーの長さが、乳房カップの下縁の湾曲縁の長さよりも最大でも３５％短いカップワイヤーであり、かつ、乳房カップの下縁の湾曲縁の脇側の縁の終端部近傍に、カップワイヤーが存在しない状態でカップワイヤーが取り付けられていてもよい。なお、図１０〜図１３に示した本発明の乳房カップを有する衣料は、乳房カップの下縁の湾曲縁２１の前中心側の縁の終端２９のところで左右のカップが接触している態様のものを示したが、特にこの態様のものに限定されるものではなく、ブラジャーで図示したように、この部分が直接互いに接触していない態様のものでもよいことは勿論である。
【００６９】
尚、次に本発明のカップワイヤーをスーパーエンジニアリングプラスチックスに分類されるポリフェニレンサルファイド（ＰＰＳ樹脂）を用いて製造した場合の、具体的データの一例を示す。
【００７０】
ＰＰＳ樹脂として、呉羽化学工業株式会社製のＰＰＳ樹脂“ＢＮＯ  ４０１  ＰＰＳ−２  ＃４”を用い、約３００℃前後での溶融押出し成形により、直径約５ｍｍ前後の線材に成形する。この線材を冷却水にて３０℃前後に冷却し、分子配列を統一化する。さらに、この線材を温水で１００℃に加熱し、５倍の長さに延伸して、直鎖状分子配列を延伸方向に配向させる。これを２５０℃前後でアニーリング処理を行い、更に分子構造を均一化する。その後、一旦冷却した上で、カップワイヤー用に所定の長さに切断する。切断されたＰＰＳ樹脂線材を、１３０℃前後でプレス加工し、所定の断面形状に加工するとともに、線材を湾曲させて、円弧状のワイヤー形状に加工した。
【００７１】
かくして、図１に示したような、湾曲したＰＰＳ樹脂からなる断面図が図２に示した断面で、ａが１．４ｍｍ、ｂが３．４ｍｍ、従ってａ／ｂ＝０．４１であり、また、全長が１７０ｍｍで、図６で説明したｃが１２０ｍｍ、ｄが５５ｍｍ、従ってｃ／ｄ＝２．１８のＰＰＳ樹脂からなるカップワイヤーを得た。このプラスチックワイヤーの、開脚荷重は、２３０８．９ｍＮ（２３５．６ｋｇｆ）であり、９．８Ｎ（１ｋｇｆ）・２４時間開脚後の形状戻り率は９９．５３％であり、前中心側に乳房を寄せる機能が優れており、金属ワイヤーに比べて、軽量（比重が約１／２）で、ソフトな感触で、つけこごこち（着用感）が優れ、着用による圧迫感や痛みが生じにくく、ワイヤーの跡が身体につきにくい、繊維強化樹脂ワイヤーに比べて安全な合成樹脂ワイヤーを得た。
【００７２】
このカップワイヤーを図８に示したようなブラジャーに装着し、着用テストをしたところ、乳房を前中心に寄せる機能が十分に発揮され、金属ワイヤーに比べて軽量で、ソフトな感触で、つけごこち（着用感）が優れ、着用による圧迫感や痛みが生じにくく、ワイヤーの跡が着用者の胸につきにくいブラジャーが得られた。
【００７３】
かくして得られたブラジャーについて、ＪＩＳ  Ｌ−０２１７に基づき、６通りの洗濯試験を行った。洗濯機の種類は、（ａ）全自動洗濯機と（ｂ）二槽式洗濯機の２種類、洗濯機に同時に入れて洗濯する負荷布として、（ｃ）通常（上記ＪＩＳ規定で定められた布）の場合と、（ｄ）ジーンズ（ズボン）とバスタオルをいっしょに入れて洗濯する場合の２種類、脱水が、（ｅ）単体（そのままの状態で脱水）と（ｆ）押し込み（手で押し込んでから脱水）及び（ｇ）ＪＩＳ設定コースの３種類で、これらの条件を組み合わせて６通りの洗濯試験を行った。なお、ブラジャーは平面型の洗濯ネットに入れて各コースそれぞれ５個づつ同時に洗濯した。また、全自動洗濯機と二槽式洗濯機の洗濯条件は次のように設定した。
【００７４】
全自動洗濯機：
（洗濯１０分＋すすぎ４分（２分×２回）＋脱水１分）×設定回数
二槽式洗濯機：洗濯１５分×５０回＋すすぎ５分＋脱水１分
５０回まで連続して洗い、５０回毎に「すすぎ＋脱水」を行い設定回数まで行う。
【００７５】
各６通りの洗濯試験をそれぞれ２００回行った（上述の設定回数＝２００）。従って延べ洗濯回数１２００回中、折れたものはなく、変形したのは３個のブラジャーであった。
【００７６】
この変形したブラジャーについても、長時間の着用試験を行ったが、違和感はなく、通常に使用できた。従って、着用できないまたは着用すると違和感を感じるほどの変形ではなかった。この結果はスチールワイヤー等の金属ワイヤーに比べて、洗濯による変形、折れ、バイアステープからの突き抜け等の点では極めて優れたカップワイヤーであり、洗濯によって折れたり変形したりしにくく、ワイヤーを覆っているバイアステープからの突き抜けもなく、耐洗濯性に極めて優れたカップワイヤーであることが確認された。
【００７７】
なお、通常、１週間に２回洗濯すると想定すると、１ヶ月間に８回、１年間に約１００回洗濯することになることから、２００回の洗濯回数とは、約２年分の洗濯回数に相当するので、上記洗濯試験は、２年間の洗濯に絶えられるか否かの試験に相当することになる。
【００７８】
【発明の効果】
本発明は、従来の合成樹脂ワイヤーでは達成しにくかった、前中心側に乳房を寄せる機能が更に改良され、しかも、寄せのパワーが改良されているにもかかわらず、従来の樹脂ワイヤーの如く着用感を犠牲にするほど太くする必要がなく、洗濯などで変形したり折れたりしにくく、スーパーエンプラ樹脂ワイヤーや延伸汎用エンプラ樹脂ワイヤーの樹脂の特性をより効率良く発揮させ、金属ワイヤーに比べて、軽量で、ソフトな感触で、つけこごこち（着用感）が優れ、着用による圧迫感や痛みが生じにくく、ワイヤーの跡が身体につきにくい、繊維強化樹脂ワイヤーに比べて安全な合成樹脂ワイヤーを提供できる。
【００７９】
また、本発明の乳房カップを有する衣料は、バック布などにより、脇方向に引っ張られる力が、カップ脇部及びカップワイヤーの脇部に掛かるのをストラップで支えることにより、緩和できる。カップ脇部及びカップワイヤーの脇部にストラップで上方に引っ張る力を掛けることにより、カップワイヤーが脇に開くのを阻止、緩和し、造形性の低下を減少させる構造となっている。これにより、スチールワイヤーなどに比べて、若干強度が弱い本発明のワイヤーの乳房を前中心に寄せる造形性を補助し、より効率的に造形性を発揮することができる。
【００８０】
従って、前述した合成樹脂ワイヤーの特性をより効率良く発揮でき、特に、前中心側に乳房を寄せる機能が、より効率的に発揮される乳房カップを有する衣料を提供できる。
【図面の簡単な説明】
【図１】本発明のカップワイヤーの平面図。
【図２】本発明のカップワイヤーの長さ方向に垂直な面の断面形状の一実施形態を示す断面図。
【図３】本発明のカップワイヤーの長さ方向に垂直な面の断面形状の別の一実施形態を示す断面図。
【図４】本発明のカップワイヤーの長さ方向に垂直な面の断面形状の更に別の一実施形態を示す断面図。
【図５】本発明のカップワイヤーの長さ方向に垂直な面の断面形状の更に別の一実施形態を示す断面図。
【図６】本発明のカップワイヤーの平面図で、ｃ／ｄを説明するための平面図。
【図７】開脚荷重の測定方法を説明するための概略図。
【図８】本発明の乳房カップを有する衣料であるブラジャーの一例の正面図。
【図９】本発明の乳房カップを有する衣料であるブラジャーの更に別の一例の正面図。
【図１０】本発明の乳房カップを有する衣料であるボディスーツの平面図。
【図１１】本発明の乳房カップを有する衣料であるブラスリップの平面図。
【図１２】本発明の乳房カップを有する衣料であるブラキャミソールの平面図。
【図１３】本発明の乳房カップを有する衣料であるブラティディの平面図。
【図１４】乳房カップの下縁の湾曲縁に沿ってカップワイヤーが取り付けられている一態様を示す断面略図。
【図１５】従来のスチールワイヤーの一例の平面図で、ｃ／ｄを説明するための平面図。
【図１６】従来の典型的なタイプのブラジャーの一例の斜視図。
【図１７】従来の典型的なタイプのボディスーツの一例の斜視図。
【符号の説明】
１        本発明のカップワイヤー
２        カップワイヤーの平面図における中心線
３、３´        中心線２の端部
４        端部間３、３´を結ぶ直線
５        直線４と垂直で、直線４の中点Ｅを通る直線
７、７´        チャック
２０      乳房カップ
２１      乳房カップ２０の下縁の湾曲縁
２２      乳房カップ２０の下縁の湾曲縁２１の脇側の縁の終端
２３      ストラップ
２４      ストラップ２３の一端
２５      ワイヤーの脇側へ開こうとする方向を示す矢印
２６      ワイヤーの封じ込め用の縫製ライン
２７      乳房カップの下縁の湾曲縁の脇側の縁の延長部
２８      補助的な枝分かれしたストラップ
２９      乳房カップの下縁の湾曲縁２１の前中心側の縁の終端
３０      乳房カップの上辺部脇
３１      乳房カップ２０の表側に配置されるバイアステープ
３２      乳房カップ２０の裏側に配置されるバイアステープ
３３      縫製ライン
３４      縫製ライン
１０１    従来のスチールワイヤー
１１０    乳房カップ部
１１１    乳房カップの下縁の湾曲縁
１１２    乳房カップの下縁の湾曲縁の脇側の縁の終端
１１３    ストラップ
１１４    乳房カップ部の上縁と脇縁の終端部
１１５    ワイヤーの脇側へ開こうとする方向を示す矢印
【図１】
0004350236.tif 000002
【図２】
0004350236.tif 000003
【図３】
0004350236.tif 000004
【図４】
0004350236.tif 000005
【図５】
0004350236.tif 000006
【図６】
0004350236.tif 000007
【図７】
0004350236.tif 000008
【図８】
0004350236.tif 000009
【図９】
0004350236.tif 000010
【図１０】
0004350236.tif 000011
【図１１】
0004350236.tif 000012
【図１２】
0004350236.tif 000013
【図１３】
0004350236.tif 000014
【図１４】
0004350236.tif 000015
【図１５】
0004350236.tif 000016
【図１６】
0004350236.tif 000017
【図１７】
0004350236.tif 000018